(57)【要約】本発明はＭＳを介して隣接ＢＳ間で双方向通信データを送信するシステム及びその方法を提供する。システムは双方向通信データを送信する第１のＢＳ、及び第１のＢＳから双方向通信データを受信して、受信した双方向通信データを第１のＢＳに隣接する第２のＢＳに送信するＭＳを備える。本発明はまた、ＭＳが、確立された第１の通信チャネルを用いて第１のＢＳと通信し、確立された第２の通信チャネルを用いて第２のＢＳと通信する通信システム及びその方法を提供する。本発明のシステムは、隣接ＢＳ間の双方向通信データの送信に要する遅延を減らすように、隣接ＢＳの重複カバレッジエリア内のＭＳを用いて、調整のための制御情報等のデータの双方向通信の送信を実行する。バックボーンを介した旧来のＢＳ調整と比べて、ＭＳを介した本発明のＢＳ調整は予測可能であり、少ない遅延しか要さない。
2011503942.tif 000002
【特許請求の範囲】
【請求項１】
移動局（ＭＳ）を介した隣接基地局（ＢＳ）間の双方向通信データを送信するためのシステムであって、
双方向通信データを送信する第１のＢＳ、及び
該第１のＢＳから双方向通信データを受信して、受信した該双方向通信データを該第１のＢＳに隣接する第２のＢＳに送信するＭＳ
を備えたシステム。
【請求項２】
請求項１のシステムにおいて、前記隣接ＢＳ間の双方向通信データが隣接ＢＳ調整のための制御情報を備える、システム。
【請求項３】
請求項１又は２のシステムにおいて、前記第１のＢＳが前記双方向通信データを該第１のＢＳと前記第２のＢＳの重複カバレッジエリア内のＭＳに、確立されたチャネルを介して送信する、システム。
【請求項４】
請求項３のシステムにおいて、前記第１のＢＳと前記ＭＳの間のチャネルが一方向又は双方向チャネルである、システム。
【請求項５】
請求項３のシステムにおいて、前記チャネルが割当てバースト、専用制御チャネル、共通チャネル及びＣＤＭＡ制御チャネルのうちの１つである、システム。
【請求項６】
請求項１のシステムにおいて、前記ＭＳが、前記第１のＢＳから受信された前記双方向通信データを前記第２のＢＳに、該ＭＳと該第２のＢＳの間の確立されたチャネルを介して送信する、システム。
【請求項７】
請求項６のシステムにおいて、前記第２のＢＳと前記ＭＳの間のチャネルが一方向又は双方向チャネルである、システム。
【請求項８】
請求項６のシステムにおいて、前記チャネルが割当てバースト、専用制御チャネル、共通チャネル及びＣＤＭＡ制御チャネルのうちの１つである、システム。
【請求項９】
請求項６のシステムにおいて、前記ＭＳが前記双方向通信データを前記第１のＢＳから複数の第２のＢＳに、該複数のＢＳに共有される共通チャネルを介してアップリンクとしてブロードキャストする、システム。
【請求項１０】
移動局（ＭＳ）を介して隣接基地局（ＢＳ）間で双方向通信データを送信する方法であって、
第１のＢＳからＭＳに双方向通信データを送信するステップ、及び
前記第１のＢＳから受信された前記双方向通信データを前記ＭＳから該第１のＢＳに隣接する第２のＢＳに送信するステップ
を備える方法。
【請求項１１】
請求項１０の方法において、前記隣接ＢＳ間の双方向通信データが隣接ＢＳ調整のための制御情報を備える、方法。
【請求項１２】
請求項１０の方法において、前記第１のＢＳが前記双方向通信データを該第１のＢＳと前記第２のＢＳの重複カバレッジエリア内のＭＳに、確立されたチャネルを介して送信する、方法。
【請求項１３】
請求項１２の方法において、前記第１のＢＳと前記ＭＳの間のチャネルが一方向又は双方向チャネルである、方法。
【請求項１４】
請求項１２の方法において、前記チャネルが割当てバースト、専用制御チャネル、共通チャネル及びＣＤＭＡ制御チャネルのうちの１つである、方法。
【請求項１５】
請求項１０の方法において、前記ＭＳが、前記第１のＢＳから受信された前記双方向通信データを前記第２のＢＳに、該ＭＳと該第２のＢＳの間の確立されたチャネルを介して送信する、方法。
【請求項１６】
請求項１５の方法において、前記第２のＢＳと前記ＭＳの間のチャネルが一方向又は双方向チャネルである、方法。
【請求項１７】
請求項１５の方法において、前記チャネルが割当てバースト、専用制御チャネル、共通チャネル及びＣＤＭＡ制御チャネルのうちの１つである、方法。
【請求項１８】
請求項１７の方法において、前記共通チャネルが、
前記第１のＢＳによってリソースブロックを割り当て、それを複数の第２のＢＳに通知するステップ、及び
前記複数の第２のＢＳの各々によって、割当てリソースブロックと同一のリソースブロックを前記共通チャネルとして受信するステップ
によって確立される、方法。
【請求項１９】
請求項１６の方法において、前記ＭＳが前記双方向通信データを前記第１のＢＳから複数の第２のＢＳに、該複数のＢＳに共有される共通チャネルを介してアップリンクとしてブロードキャストする、方法。
【請求項２０】
通信システムであって、
ＭＳ、
前記ＭＳとの通信のために第１の通信チャネルを確立する第１のＢＳ、及び
前記ＭＳとの通信のために第２の通信チャネルを確立する第２のＢＳ
を備え、
前記ＭＳが前記確立された第１の通信チャネルを用いて前記第１のＢＳと通信し、前記確立された第２の通信チャネルを用いて前記第２のＢＳと通信する、システム。
【請求項２１】
請求項２０のシステムにおいて、前記ＭＳが前記第１のＢＳ及び前記第２のＢＳの両方とハンドオーバーなしに通信できるように、該ＭＳが前記第１の通信チャネル及び前記第２の通信チャネルを同時に保持する、システム。
【請求項２２】
請求項２０のシステムにおいて、前記第２の通信チャネルが共通通信チャネルであり、前記ＭＳによって該共通チャネルを介して送信されるデータが複数の第２のＢＳによって受信される、システム。
【請求項２３】
通信の方法であって、
確立された第１の通信チャネルを用いてＭＳによって第１のＢＳと通信するステップ、及び
確立された第２の通信チャネルを用いて前記ＭＳによって第２のＢＳと通信するステップ
を備える方法。
【請求項２４】
請求項２３の方法において、前記ＭＳが前記第１のＢＳ及び前記第２のＢＳの両方とハンドオーバーなしに通信できるように、該ＭＳが前記第１の通信チャネル及び前記第２の通信チャネルを同時に保持する、方法。
【請求項２５】
請求項２３の方法において、前記第２の通信チャネルが共通チャネルであり、前記ＭＳによって該共通チャネルを介して送信されたデータが複数の第２のＢＳによって受信され、
前記共通チャネルが、
前記第１のＢＳによってリソースブロックを割り当て、それを複数の第２のＢＳに通知するステップ、及び
前記複数の第２のＢＳの各々によって、割当てリソースブロックと同一のリソースブロックを前記共通チャネルとして受信するステップ
によって確立される、方法。
【請求項２６】
隣接基地局（ＢＳ）間で双方向通信データを送信するための移動局（ＭＳ）であって、
第１のＢＳから受信された双方向通信データの送信を制御する制御ユニット、
前記第１のＢＳから前記双方向通信データを受信する受信ユニット、及び
前記第１のＢＳから受信された双方向通信データを第２のＢＳに送信する送信ユニット
を備えた移動局（ＭＳ）。
【請求項２７】
基地局（ＢＳ）とその隣接ＢＳの間の双方向通信データを送信するための基地局（ＢＳ）であって、
ＭＳへの双方向通信データを制御するＢＳ調整ユニット、
前記ＭＳへの前記双方向通信データを送信するＢＳ送信ユニット、及び
データを受信するＢＳ受信ユニット
を備えた基地局（ＢＳ）。
【発明の詳細な説明】
【技術分野】
【０００１】
本発明は無線通信の分野に関し、具体的には、隣接ＢＳ（基地局）間でＭＳ（移動局）を介して双方向通信データを送信するためのシステム及びその方法に関する。本発明はまた、通信システム及びその方法に関する。
【背景技術】
【０００２】
ＩＭＴアドバンスト次世代移動体ネットワークはシステム能力の要件を引き上げてきた。幾つかの標準化グループ又は団体はその要件に見合う草案を積極的に開発し、彼らの草案がＩＭＴアドバンストの評価プロセスにおける検討の候補となることを期待している。最近立ち上げられたＩＥＥＥ８０２.１６ｍタスクグループは、ランセンス帯域での動作について高度化したエアインターフェイスの性能を向上するために、ＩＥＥＥ Ｓｔｄ ８０２.１６に幾つかの修正を行うことを目的としている。それはＩＭＴアドバンスト次世代移動体ネットワークのセルラ層要件を対象とする。
【０００３】
ＩＭＴアドバンスを対象とする技術開発によって、隣接ＢＳは何らかの新たな技術の適用において相互に協働する必要がある。制御情報交換のための隣接ＢＳ調整はより重要かつ頻繁なものとなりつつあり、これは、ＢＳが制御情報、チャネル情報、又は要求／応答メッセージをその隣接ＢＳとの協働のために交換するように実行される。この調整は、高速ハンドオーバー、ネットワークＭＩＭＯ（マルチ入力マルチ出力）、干渉相殺、部分的リソースの再利用、ＭＢＳ等のような、移動体通信における多数の機能のために必要となる。例えばハンドオーバー中に、サービングＢＳは、隣接ＢＳの幾つかが移動中のＭＳを受け入れるつもりか否かを確認するために、隣接ＢＳとターゲットＢＳの潜在的候補について交渉しなければならない。図１は従来の方法による制御情報交換のための隣接ＢＳ調整の概略図である。
【０００４】
ハンドオーバー中に、サービングＢＳはＭＳコンテキスト構成情報を含む事前通知要求を隣接ＢＳに送信し、隣接ＢＳは推定ＨＯ時間及びＨＯ最適化によるサービスレベル予測を含む応答を返信する。ハンドオーバーが完了すると、ターゲットＢＳはまた、旧サービングＢＳが全てのＭＳを開放できるようにするために、それが現在ＭＳをホストしていることを示す通知を旧サービングＢＳに送信する。他の例は干渉相殺又は部分的リソースの再利用についての隣接ＢＳ調整である。何らかの時間−周波数スケジューリング情報が、干渉相殺又はリソース再利用の目的のために隣接ＢＳ間で交換及び共有されるべきである。
【０００５】
隣接ＢＳ間でのデータ情報交換の一例は、ＭＳにダウンリンク送信されるべきデータをＢＳが隣接ＢＳにバックボーンを介して送信することである。そのような技術はＭＢＳ（マルチキャスト・ブロードキャスト・サービス）に適用できる。
【０００６】
隣接ＢＳ制御調整のための遅延要件が引き上げられてきた。少ない遅延によって潜在的なサービス中断が減り、性能を向上することができる。
【０００７】
制御情報交換のための既存の隣接ＢＳ調整はバックボーンを介して送信される。例えば、ハンドオーバーのための隣接ＢＳ交渉メッセージ事前通知要求／応答がバックボーンを介してい交換される。バックボーンはその高い送信能力のために大量データ送信に適している。しかし、調整メッセージ送信のルーティング及び遅延は、ＢＳの位置及びそれらが属しているクラスタに大きく依存する。従って送信遅延は予測不可能である。それは、関与するＢＳが単一のクラスタに属していない場合には、より長い期間継続し得る。クラスタは通常、隣接ＢＳが同じコントローラに従属するように定義されている。例えば、ＢＳがＷｉＭＡＸにおける同じＷＡＣに属し、又は３ＧＰＰにおける同じＲＮＣに属す場合、それらは同じクラスタに属する。
【０００８】
ＷｉＭＡＸネットワークにおいて例証されることであるが、ルーティング及び遅延は、調整されるＢＳが同じＷＡＣに属すか否かによって隣接ＢＳ制御情報交換毎に異なる。図２(ａ)は単一のＷＡＣに従属するＢＳ間の制御情報交換を示す。制御メッセージは共通のＷＡＣを介して交換及び転送され、従って少ない遅延しか受けない。
【０００９】
一方、図２(ｂ)は異なるＷＡＣに従属するＢＳ間の制御情報交換を示す。調整の目的のために、ＢＳ１は最初に制御情報をそれ自身のＷＡＣ１に送信する。その後、その情報はＷＡＣ１からＷＡＣ２へとルータによって転送され、ＩＰカプセル化／カプセル化を通過することになる。隣接ＢＳが従属するＷＡＣ２にその情報が到達すると、ＷＡＣ２は宛先ＢＳ２にそれを転送し続ける。この手順から分かるように、合計の遅延は送信遅延、ルーティング／スイッチング遅延、及びおそらくカプセル化／カプセル化遅延を含むことになる。結果的に、制御情報送信に対する合計遅延は予測できない。
【００１０】
まとめると、バックボーンを介した隣接ＢＳ間の制御情報交換における遅延は、隣接ＢＳの位置及びそれらが属するクラスタに依存して、予測することができない。関与するＢＳが異なるクラスタに属する（即ち、ＢＳがＷｉＭＡＸにおける異なるＷＡＣに属する）場合には、より長い時間遅延が必要となってしまう。
【００１１】
高速ハンドオーバー、ネットワークＭＩＭＯ、干渉相殺等に対する時間遅延についての厳しい要件のために、隣接ＢＳ調整はより重要かつ頻繁なものとなりつつある。
【発明の概要】
【課題を解決するための手段】
【００１２】
現在のところ、調整のための現実の直接ＢＳ−ＢＳ接続はない。上記の問題を解決するために、本発明はＭＳを介した直接ＢＳ−ＢＳ接続を実施するために提供される。本発明によると、ＭＳを介した隣接ＢＳ間の双方向通信データを送信するためのシステム及びその方法が提供される。そのシステム及び方法によって、発明はＢＳ調整及び双方向調整のための制御情報のような双方向通信データの送信を可能とする。隣接ＢＳの重複カバレッジエリア内のＭＳが単に簡単な送信動作を行うだけで、制御情報交換の遅延は低減され予測可能となる。ＢＳは制御チャネル及び送信の確立を担当する。バックボーンを介した旧来のＢＳ調整と比べて、ＭＳを介したＢＳ調整のための双方向通信データ送信は予測可能となり、遅延は少なくなる。
【００１３】
本発明の第１の側面によると、ＭＳを介した隣接ＢＳ間の双方向通信データを送信するためのシステムが提供され、それは、双方向通信データを送信する第１のＢＳ、及び第１のＢＳから双方向通信データを受信して受信双方向通信データを第１のＢＳに隣接する第２のＢＳに送信するＭＳを備える。
【００１４】
本発明の第２の側面によると、ＭＳを介して隣接ＢＳ間で双方向通信データを送信する方法が提供され、それは、第１のＢＳからＭＳに双方向通信データを送信するステップ、及び第１のＢＳから受信された双方向通信データを、ＭＳから第１のＢＳに隣接する第２のＢＳに送信するステップを備える。
【００１５】
本発明の第３の側面によると、通信システムが提供され、それは、ＭＳ、ＭＳとの通信のために第１の通信チャネルを確立する第１のＢＳ、及びＭＳとの通信のために第２の通信チャネルを確立する第２のＢＳを備え、ＭＳは確立された第１の通信チャネルを用いて第１のＢＳと通信し、確立された第２の通信チャネルを用いて第２のＢＳと通信する。
【００１６】
本発明の第４の側面によると、通信方法が提供され、それは、確立された第１の通信チャネルを用いてＭＳによって第１のＢＳと通信するステップ、及び確立された第２の通信チャネルを用いてＭＳによって第２のＢＳと通信するステップを備える。
【００１７】
本発明の第５の側面によると、隣接ＢＳ間で双方向通信データを送信するためのＭＳが提供され、それは、第１のＢＳから受信された双方向通信データの送信を制御する制御ユニット、第１のＢＳから双方向通信データを受信する受信ユニット、及び第１のＢＳから受信された双方向通信データを第２のＢＳに送信する送信ユニットを備える。
【００１８】
本発明の第６の側面によると、隣接ＢＳの間を双方向通信するＢＳが提供され、それは、ＭＳへの双方向通信データを制御するＢＳ調整ユニット、ＭＳへの双方向通信データを送信するＢＳ送信ユニット、及びデータを受信するＢＳ受信ユニットを備える。
【図面の簡単な説明】
【００１９】
【図１】図１は従来の方法による制御情報交換のための隣接ＢＳ調整の概略図である。
【図２ａ】図２ａは単一のＷＡＣに従属する隣接ＢＳ間の制御情報交換を示す。
【図２ｂ】図２ｂは異なるＷＡＣに従属する隣接ＢＳ間の制御情報交換を示す。
【図３ａ】図３ａは本発明による、ＭＳを介した隣接ＢＳ間の双方向通信データを送信するためのシステムを示す。
【図３ｂ】図３ｂは本発明による、ＭＳを介した隣接ＢＳ調整のための制御情報を送信する方法のフローチャートを示す。
【図４ａ】図４ａは本発明によるＢＳの概略ブロック図である。
【図４ｂ】図４ｂは本発明によるＭＳの概略ブロック図である。
【図５】図５は本発明によるチャネル割当てのためのフレーム構造の一例である。
【図６】図６は本発明による、ＭＳとＢＳ間の双方向チャネルの概略図である。
【発明を実施するための形態】
【００２０】
以降に、本発明の好適な実施例が添付図面を参照して説明され、図面を通じて、同様の構成要素は同様の符号又は番号で示される。本発明の以降の記載では、ここに取り込まれる周知の機能及び構成の詳細な説明は、本発明の主題を不明瞭とし兼ねないので省略される。
【００２１】
隣接ＢＳ間の従来の制御情報の有線送信では制御情報送信の合計遅延は予測できない。従って、長い遅延が存在することになる。これは少ない遅延を要件とする通信を許容できないものとする。
【００２２】
本発明はＭＳを介したＢＳ−ＢＳ間データ送信の手法を提供する。即ち、隣接ＢＳ間の双方向通信データがＭＳを介して送信される。双方向通信データは、ユーザデータ等の隣接ＢＳ間で送信されるデータ（例えば、隣接ＢＳのカバレッジエリア内のＭＳに送信されるデータ、又は隣接ＢＳのカバレッジエリア内のＭＳによって送信されたデータ）及び隣接ＢＳ調整のための制御情報からなる。図３ａは本発明による、ＭＳを介した隣接ＢＳ間の双方向通信データを送信するためのシステムを示す。図３ａを参照すると、ＭＳは２つの隣接するＢＳの重複したカバレッジ内に位置する。ＢＳ１はまず、その隣接ＢＳ（複数）に対する双方向通信データをＭＳに送信し、その後ＭＳは隣接ＢＳのうちの１つであるＢＳ２に双方向通信データを送信する。例えば、ＢＳ１は隣接ＢＳ調整のための制御情報をＭＳに送信する。その後、ＭＳは受信制御情報をＢＳ２に転送する。当業者であれば、１以上のＢＳ２が存在し得ることが分かるはずである。隣接ＢＳの双方向通信データの送信、例えば、制御情報交換が、予測不可能なルーティング及び長い遅延を有する主バックボーンではなく、ＭＳを介して実行される。従って、データ送信の合計遅延を低減することができる。
【００２３】
図４ａは本発明によるＢＳの概略ブロック図である。ＢＳは送信ユニット４１、受信ユニット４２、隣接ＢＳ調整ユニット４４及びＢＳ制御ユニット４３を備える。送信ユニット４１は、隣接ＢＳ調整のための制御情報等のデータを、ＢＳが属するセルのカバレッジエリア内のＭＳに送信する。受信ユニット４２はセルのカバレッジエリア内のＭＳから送信されたデータ、又は隣接ＢＳから送信されたデータを受信する。ＢＳ制御ユニット４３はデータの送信／受信及び処理を制御し、また、カバレッジエリア内のＭＳも制御する。隣接ＢＳ調整ユニット４４はＢＳ及びその隣接ＢＳの重複するカバレッジエリア内のＭＳを識別し、隣接ＢＳへの双方向通信データを識別されたＭＳに送信する。隣接ＢＳ調整ユニット４４はまた、通信チャネルをセットアップするためにも使用される。ＢＳ２の構造は図４ａに示すもの同様であるのでその説明は省略する。
【００２４】
図４ｂは本発明によるＭＳの概略ブロック図である。図４ｂを参照すると、ＭＳは送信ユニット４０１、受信ユニット４０２、ＭＳ第１制御ユニット４０３及びＭＳ第２制御ユニット４０４を備える。送信ユニット４０１及び受信ユニット４０２はデータをそれぞれ送信／受信するのに使用される。ＭＳ第１制御ユニット４０３は（必要であれば）受信／送信されたデータを処理するのに使用される。ＭＳ第２制御ユニット４０４は、ＢＳとその隣接ＢＳ間での隣接ＢＳ調整のための制御情報等の双方向通信データを、チャネルを介して、又はＭＡＰＩＥ、データバースト等の他の方法によって、隣接ＢＳに送信する。ＭＳはＢＳ１からの隣接ＢＳのための双方向通信データを処理しない。それは単に双方向通信データをＢＳ２に対するものとして送信する。ＢＳ１からの双方向通信データはＭＳに対してトランスペアレントである。
【００２５】
本発明はＭＳを介した隣接ＢＳ間の双方向通信データの送信を可能とし、双方向通信データはユーザデータ（例えば、隣接ＢＳのカバレッジエリア内のＭＳに送信されるデータ、又は隣接ＢＳのカバレッジエリア内のＭＳによって送信されたデータ）及び隣接ＢＳ調整のための制御情報等、隣接ＢＳ間で送信されるデータを含む。以降の段落では、転送制御情報のフローを、ＭＳを介した隣接ＢＳ調整のために制御情報を転送する一例を挙げて図３ａ、３ｂ、４ａ及び４ｂを参照して説明する。
【００２６】
図３ｂを参照すると、Ｓ３１において、ＢＳ１の隣接ＢＳ調整ユニット４４及びＢＳ２の隣接ＢＳ調整ユニットは、調整のための制御情報を転送するために、２つの隣接ＢＳ、ＢＳ１及びＢＳ２の重複カバレッジエリア内のＭＳを識別する。なお、ＢＳ２はＢＳ１の近隣である。概略として、隣接ＢＳ調整交換の多くは重複カバレッジ内のＭＳに対して（例えば、ＭＳハンドオーバーとして）行われる。本例では１つのＭＳのみが示されているが、２以上のＭＳが採用され得ることが分かる。
【００２７】
その後Ｓ３２において、ＢＳ１の隣接ＢＳ調整ユニット４４はＢＳ１とＭＳの間のチャネルをセットアップする。ＢＳ２の隣接ＢＳ調整ユニットはＭＳとＢＳ１の間のチャネルをセットアップする。
【００２８】
具体的には、隣接するＢＳの重複カバレッジエリア内のＭＳが識別された後に、ＢＳ１はＢＳ１とＭＳの間の通信用チャネルをセットアップし、ＢＳ１はＢＳ２にＭＳとのチャネルをセットアップするよう通知するメッセージをＢＳ２に送信する。ＢＳ２は、ＢＳ１からのメッセージが受信されると、ＭＳと通信するためのチャネルをセットアップする。ＢＳ１とＭＳの間及びＭＳとＢＳ２の間のチャネルは一方向チャネルであっても双方向チャネルであってもよく、チャネルは割り当てられたバースト、専用制御チャネル、ＣＳＭＡ制御チャネル等とすることができる。
【００２９】
或いは、共通チャネルが複数のＢＳ２とＭＳの間に確立されるようにしてもよい。共通チャネルとは、複数のＢＳ２によって複数のＢＳ２とＭＳの間で共有されるチャネルのことである。最初に、ＢＳ１は１リソースブロックを割り当て（指定し）、複数のＢＳ２に対して、ＢＳ１によって割り当てられた（指定された）のと同じリソースブロックを確保するように通知する。従って、複数のＢＳ２が共通チャネルと同じリソースブロックを確保する。ＭＳは隣接ＢＳ調整のための制御情報を、複数のＢＳ２によって共有される共通チャネルを介してアップリンクでブロードキャストすることができる。ＭＳは制御情報を共通チャネルを介してアップリンクで送信し、制御情報が複数のＢＳ２によって受信される。
【００３０】
例えば、ＣＤＭＡ制御チャネルは、ＢＳ１及びＢＳ２の重複カバレッジエリア内の１以上のＭＳに対してある時間−周波数リソースが制御情報送信のために確保され、これらのＭＳはシグナリングのために事前符号化されたＣＤＭＡを使用することができる。或いは、ＭＳは、隣接ＢＳ２に確保されたＣＤＭＡ制御チャネルを用いてＢＳ２と通信するようにしてもよい。ＣＤＭＡ制御チャネルはダウンリンク及びアップリンクの両方に使用することができる。
【００３１】
複数のＢＳが割当てチャネルリソースを通知されることができるので、それらは共通チャネルをモニタし、ＭＳによって転送された制御情報を受信することができる。さらに、ＭＳを介した隣接ＢＳ調整のための制御情報を送信するのに他のチャネルが使用され得ることは明らかである。
【００３２】
一方向又は双方向チャネルが隣接ＢＳとＭＳの間にそれぞれセットアップされ、又は予め割り当てられた共通チャネルが使用されるので、ＭＳは隣接ＢＳ１及びＢＳ２とのチャネルを同時に維持することができる。従って、ＭＳは、ＢＳ２へのＭＳの登録を含むハンドオーバー処理を実行することなくＢＳ１及びＢＳ２と同時に通信することができる。さらに、バックボーンを介した隣接ＢＳ調整のための制御情報を転送する必要がないので、制御情報を送信するのに必要な遅延を減少できる。
【００３３】
図６は本発明による、ＭＳとＢＳ間の双方向チャネルの概略図である。ＭＳはＢＳ１に登録され従属し、ＭＳとＢＳ２の間のダウンリンク／アップリンク通信はＢＳ２によって割り当てられたＣＤＭＡ制御チャネルを占有するものとする。この制御チャネルは最初はＢＳ２とそのカバレッジ内のＭＳの間のシグナリング制御のために割り当てられる。
【００３４】
本発明では、ＭＳが隣接ＢＳ２のＣＤＭＡ制御チャネルを使用して隣接ＢＳ調整のための制御情報を転送することが可能となる。図５はチャネル割り当てのためのフレーム構造の一例である。フレーム構造において、双方向チャネルが割り当てられる。これは単に一例であり、本発明はＣＤＭＡ制御チャネル以外にも任意の適切なチャネルを使用することができる。
【００３５】
Ｓ３３において、ＢＳ１の送信ユニット４１は隣接ＢＳ調整のための制御情報をＭＳに送信する。ＢＳは交換されるべき制御情報を有するとき、ＢＳは制御情報を、割り当てられたチャネルを介して又はＭＡＰＩＥ、データバースト等の他の方法によってＭＳに送信できる。
【００３６】
Ｓ３４において、ＭＳのＭＳ第２制御ユニット４０４が受信ユニット４０２によって制御情報を受信し、確立されたチャネルを介して制御情報をＢＳ２に転送する。第２の制御ユニット４０４は制御情報を、制御情報の処理を何も行うことなく通常通り隣接ＢＳ２に転送する。
【００３７】
ＢＳ１は暗号化された制御情報をＭＳに送信することができる。制御情報はＭＳに対してトランスペアレントである。ＭＳは、暗号化情報を受信した後にデータコンテンツを取得するために制御情報を復号することはしない。それは単に受信情報を通常通りＢＳ１から隣接ＢＳ２に転送するだけである。ＭＳの処理能力によっては、ＭＳは１フレーム内で制御情報を転送することができる。
【００３８】
ＢＳ２はＭＳから制御情報を受信する。ＭＳとＢＳ２の間の通信用のチャネルがセットアップされた後に、ＢＳ２はチャネルの存在を知り、そのチャネルをモニタする。ＢＳ２は制御情報を、モニタされるチャネルを介してそれが送信されるときに受信する。
【００３９】
ＭＳが移動するにつれてチャネル状態が変化し、ＢＳは情報交換のためにチャネルが必要か否かを判断する。それが必要でない場合、ＢＳはチャネルを解放する。さらに、ＢＳはチャネル状態の変化に従ってチャネルを更新することができる。
【００４０】
上記はＭＳを介した隣接ＢＳ調整のための制御情報を転送する一例として示したものであるが、隣接ＢＳ間の双方向通信データもＭＳを介して同様にして送信され得ることが分かる。ＭＳは隣接ＢＳのための受信双方向通信データを処理しない。その代わりに、それは単に双方向通信データを通常通りＢＳ１からＢＳ２に送信するだけである。
【００４１】
ＭＳとＢＳ２の間と同様にＢＳ１とＭＳの間にも一方向又は双方向チャネルがセットアップされるので、ＭＳは、ＭＳとＢＳ２との間に確立されたチャネルを介してＢＳ２と通信しつつも、即ち、ハンドオーバーを行うことなくＢＳ２と通信しつつも、何らかの従来的な方法によってＢＳ１と通信することができる。さらに、ＭＳは、隣接ＢＳの双方向通信データの他に、それ自身のデータをＢＳ２に送信することができる。ＭＳ自身のデータは、例えば、チャネル測定結果、ハンドオーバー要求及びＭＳアップリンクデータ等がある。ＢＳ２はまた、通信用にデータをＭＳに送信することもできる。或いは、ＭＳは割り当てられた共通チャネルを介してデータを複数のＢＳに送信することもできる。
【００４２】
本発明は、ＭＳを介した隣接ＢＳの双方向通信データを送信することを可能とするので、高い時間遅延要件の双方向通信データの送信に適用できる。隣接ＢＳ間での双方向通信データの送信を実行するのにバックボーンは必要とされないので、双方向通信データ送信の遅延が低減される。従来のバックボーンを介したＢＳ調整と比較して、ＭＳを介したＢＳ調整は予測可能であるとともに少ない遅延しかなく、隣接ＢＳ間の通信性能が強化される。
【００４３】
本発明の具体的実施例が例示及び説明されてきたが、発明はここに開示される説明に限定されないことが分かるはずである。当業者には、発明の精神と範囲を逸脱することなく、ここに開示された本発明に対して種々の修正、変更、及び変形がなされ得ることは明白なことである。
【図１】
2011503942.tif 000003
【図２ａ】
2011503942.tif 000004
【図２ｂ】
2011503942.tif 000005
【図３ａ】
2011503942.tif 000006
【図３ｂ】
2011503942.tif 000007
【図４ａ】
2011503942.tif 000008
【図４ｂ】
2011503942.tif 000009
【図５】
2011503942.tif 000010
【図６】
2011503942.tif 000011
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
移動局（ＭＳ）を介した隣接基地局（ＢＳ）間の双方向通信データを送信するためのシステムであって、
双方向通信データを送信する第１のＢＳ、及び
該第１のＢＳから双方向通信データを受信して、受信した該双方向通信データを該第１のＢＳに隣接する第２のＢＳに送信するＭＳ
を備えたシステム。
【請求項２】
請求項１のシステムにおいて、前記隣接ＢＳ間の双方向通信データが隣接ＢＳ調整のための制御情報を備える、システム。
【請求項３】
請求項１のシステムにおいて、前記第１のＢＳが前記双方向通信データを該第１のＢＳと前記第２のＢＳの重複カバレッジエリア内のＭＳに、確立されたチャネルを介して送信し、
前記ＭＳが、前記第１のＢＳから受信された前記双方向通信データを前記第２のＢＳに、該ＭＳと該第２のＢＳの間の確立されたチャネルを介して送信する、システム。
【請求項４】
請求項３のシステムにおいて、前記第１のＢＳと前記ＭＳの間のチャネル及び／又は前記第２のＢＳと前記ＭＳの間のチャネルが一方向又は双方向チャネルであり、
前記チャネルが割当てバースト、専用制御チャネル、共通チャネル及びＣＤＭＡ制御チャネルのうちの１つである、システム。
【請求項５】
請求項３のシステムにおいて、前記ＭＳが前記双方向通信データを前記第１のＢＳから複数の第２のＢＳに、該複数のＢＳに共有される共通チャネルを介してアップリンクとしてブロードキャストする、システム。
【請求項６】
移動局（ＭＳ）を介して隣接基地局（ＢＳ）間で双方向通信データを送信する方法であって、
第１のＢＳからＭＳに双方向通信データを送信するステップ、及び
前記第１のＢＳから受信された前記双方向通信データを前記ＭＳから該第１のＢＳに隣接する第２のＢＳに送信するステップ
を備える方法。
【請求項７】
請求項６の方法において、前記第１のＢＳが前記双方向通信データを該第１のＢＳと前記第２のＢＳの重複カバレッジエリア内のＭＳに、確立されたチャネルを介して送信し、
前記ＭＳが、前記第１のＢＳから受信された前記双方向通信データを前記第２のＢＳに、該ＭＳと該第２のＢＳの間に確立されたチャネルを介して送信する、方法。
【請求項８】
請求項７の方法において、前記第１のＢＳと前記ＭＳの間のチャネル及び／又は前記第２のＢＳと前記ＭＳの間のチャネルが一方向又は双方向チャネルであり、
前記チャネルが割当てバースト、専用制御チャネル、共通チャネル及びＣＤＭＡ制御チャネルのうちの１つである、方法。
【請求項９】
請求項８の方法において、前記共通チャネルが、
前記第１のＢＳによってリソースブロックを割り当て、それを複数の第２のＢＳに通知するステップ、及び
前記複数の第２のＢＳの各々によって、割当てリソースブロックと同一のリソースブロックを前記共通チャネルとして受信するステップ
によって確立される、方法。
【請求項１０】
通信システムであって、
ＭＳ、
前記ＭＳとの通信のために第１の通信チャネルを確立する第１のＢＳ、及び
前記ＭＳとの通信のために第２の通信チャネルを確立する第２のＢＳ
を備え、
前記ＭＳが前記確立された第１の通信チャネルを用いて前記第１のＢＳと通信し、前記確立された第２の通信チャネルを用いて前記第２のＢＳと通信し、
前記ＭＳが前記第１のＢＳ及び前記第２のＢＳの両方とハンドオーバーなしに通信できるように、該ＭＳが前記第１の通信チャネル及び前記第２の通信チャネルを同時に保持する、システム。
【請求項１１】
請求項１０のシステムにおいて、前記第２の通信チャネルが共通通信チャネルであり、前記ＭＳによって該共通チャネルを介して送信されるデータが複数の第２のＢＳによって受信される、システム。
【請求項１２】
通信の方法であって、
確立された第１の通信チャネルを用いてＭＳによって第１のＢＳと通信するステップ、及び
確立された第２の通信チャネルを用いて前記ＭＳによって第２のＢＳと通信するステップ
を備え、
前記ＭＳが前記第１のＢＳ及び前記第２のＢＳの両方とハンドオーバーなしに通信できるように、該ＭＳが前記第１の通信チャネル及び前記第２の通信チャネルを同時に保持する、方法。
【請求項１３】
請求項１２の方法において、前記第２の通信チャネルが共通チャネルであり、前記ＭＳによって該共通チャネルを介して送信されたデータが複数の第２のＢＳによって受信され、
前記共通チャネルが、
前記第１のＢＳによってリソースブロックを割り当て、それを複数の第２のＢＳに通知するステップ、及び
前記複数の第２のＢＳの各々によって、割当てリソースブロックと同一のリソースブロックを前記共通チャネルとして受信するステップ
によって確立される、方法。
【請求項１４】
隣接基地局（ＢＳ）間で双方向通信データを送信するための移動局（ＭＳ）であって、
第１のＢＳから受信された双方向通信データの送信を制御する制御ユニット、
前記第１のＢＳから前記双方向通信データを受信する受信ユニット、及び
前記第１のＢＳから受信された双方向通信データを第２のＢＳに送信する送信ユニット
を備えた移動局（ＭＳ）。
【請求項１５】
基地局（ＢＳ）とその隣接ＢＳの間の双方向通信データを送信するための基地局（ＢＳ）であって、
ＭＳへの双方向通信データを制御するＢＳ調整ユニット、
前記ＭＳへの前記双方向通信データを送信するＢＳ送信ユニット、及び
データを受信するＢＳ受信ユニット
を備えた基地局（ＢＳ）。
【国際調査報告】
2011503942.tif 000012
2011503942.tif 000013
2011503942.tif 000014
2011503942.tif 000015